【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
シート積載部に立てた状態で積載されたシート束を所定の折り曲げ位置で折り曲げる処理を行うシート処理装置において、
前記シート束を前記所定の折り曲げ位置で折り曲げる折りローラ対と、前記シート積載部に積載されたシート束に突き当たり、前記シート束を折り曲げながら前記折りローラ対のニップに押し込む突き出し手段と、を備えた突き折り部と、
前記シート積載部に積載されたシート束の下端と当接してシート束を支持すると共に、前記シート積載部に沿った方向に移動可能なシート束支持部材と、を備え、
前記シート積載部に積載されるシート束の情報に基づいた、前記突き出し手段がシート束に突き当たる位置と前記折りローラ対によって折り曲げられる所定の折り曲げ位置とのずれ量分、前記所定の折り曲げ位置からずれてシート束に前記突き出し手段が突き当たるように前記シート束支持部材が移動することを特徴とするシート処理装置。
【請求項２】
シート束に前記突き出し手段が突き当たる位置が前記シート束の所定の折り曲げ位置と略一致するようにシート束を支持する位置と、シート束に前記突き出し手段が突き当たる位置が前記所定の折り曲げ位置から前記ずれ量分ずれるようにシート束を支持する位置と、に前記所定の折り曲げ位置でシート束を折り曲げる処理を行うために、前記シート束支持部材がシート束の情報に応じて選択的に移動することを特徴とする請求項１記載のシート処理装置。
【請求項３】
前記シート積載部に積載されたシート束の積載枚数が所定の枚数より多いときに、前記突き出し手段が突き当たるシート束の位置が、前記シート束の所定の折り曲げ位置よりも下方となる位置に前記シート束支持部材が移動することを特徴とする請求項１又は２記載のシート処理装置。
【請求項４】
前記シート積載部に積載されたシート束のシートの厚さが所定の厚さよりも厚いときに、前記突き出し手段が突き当たるシート束の位置が、前記シート束の所定の折り曲げ位置よりも下方となる位置に前記シート束支持部材が移動することを特徴とする請求項１又は２記載のシート処理装置。
【請求項５】
前記シート積載部に積載されたシートのサイズが所定のサイズよりも大きいときに、前記突き出し手段が突き当たるシート束の位置が、前記シート束の所定の折り曲げ位置よりも下方となる位置に前記シート束支持部材が移動することを特徴とする請求項１又は２記載のシート処理装置。
【請求項６】
シート積載部に立てた状態で積載されたシート束を所定の折り曲げ位置で折り曲げる処理を行うシート処理装置において、
前記シート束を前記所定の折り曲げ位置で折り曲げる折りローラ対と、前記シート積載部に積載されたシート束に突き当たり、前記シート束を折り曲げながら前記折りローラ対のニップに押し込む突き出し手段と、を備えた突き折り部と、
前記シート積載部に積載されたシート束の下端と当接してシート束を支持すると共に、前記シート積載部に沿った方向に移動可能なシート束支持部材と、を備え、
前記シート積載部に積載されたシート束の表面の平滑性に応じて、前記突き出し手段がシート束に突き当たる位置と前記折りローラ対によって折り曲げられる所定の折り曲げ位置とのずれ量分、前記所定の折り曲げ位置からずれてシート束に前記突き出し手段が突き当たるように前記シート束支持部材が移動することを特徴とするシート処理装置。
【請求項７】
シート束に前記突き出し手段が突き当たる位置が前記シート束の所定の折り曲げ位置と略一致するようにシート束を支持する位置と、シート束に前記突き出し手段が突き当たる位置が前記所定の折り曲げ位置から前記ずれ量分ずれるようにシート束を支持する位置と、に前記所定の折り曲げ位置でシート束を折り曲げる処理を行うために、前記シート積載部に積載されたシート束の、前記突き出し手段が突き当たる位置の表面の画像に応じて前記シート束支持部材が選択的に移動することを特徴とする請求項６記載のシート処理装置。
【請求項８】
前記シート積載部に積載されたシート束の、前記突き出し手段が突き当たる位置の表面にカラー画像がある場合、前記突き出し手段が突き当たるシート束の位置が、白黒画像がある場合よりも前記シート束の所定の折り曲げ位置よりも下方となる位置に前記シート束支持部材が移動することを特徴とする請求項６又は７記載のシート処理装置。
【請求項９】
前記シート積載部に積載されたシート束の、前記突き出し手段が突き当たる位置の表面にカラー画像がある場合、前記突き出し手段が突き当たるシート束の位置が、画像がない場合よりも前記シート束の所定の折り曲げ位置よりも下方となる位置に前記シート束支持部材が移動することを特徴とする請求項６又は７記載のシート処理装置。
【請求項１０】
前記シート束を綴じる綴じ手段を備え、前記シート束の所定の折り曲げ位置は、前記綴じ手段により前記シート束を綴じた位置と一致することを特徴とする請求項１乃至９のいずれか１項に記載のシート処理装置。
【請求項１１】
前記シート束は、前記シート束の前記シート積載部に沿った方向の中央が綴じられていることを特徴とする請求項１０記載のシート処理装置。
【請求項１２】
前記シート積載部は、略垂直状態となっていることを特徴とする請求項１乃至１１のいずれか１項に記載のシート処理装置。
【請求項１３】
画像を形成する画像形成部と、前記画像形成部により画像が形成されたシートを製本処理する前記請求項１乃至１２のいずれか１項に記載のシート処理装置と、前記シート束支持部材を移動させ、前記突き出し手段が突き当たるシート束の位置を制御する制御手段と、を備えたことを特徴とする画像形成システム。
【請求項１４】
シート束を所定の折り曲げ位置で折り曲げる折りローラ対と、シート積載部に積載されたシート束に突き当たり、前記シート束を折り曲げながら前記折りローラ対のニップに押し込む突き出し手段と、を備えた突き折り部と、前記シート積載部に立てた状態で積載されたシート束の下端と当接してシート束を支持すると共に、前記シート積載部に沿った方向に移動可能なシート束支持部材と、を備え、前記シート積載部に積載されたシート束を前記所定の折り曲げ位置で折り曲げる処理を行うシート処理装置が接続される画像形成装置において、
シート束に前記突き出し手段が突き当たる位置を変更するために前記シート束支持部材の移動を制御する制御手段を有し、
前記制御手段は、シート束の情報に基づいた、前記突き出し手段がシート束に突き当たる位置と前記折りローラ対によって折り曲げられる所定の折り曲げ位置とのずれ量分、前記所定の折り曲げ位置からずれてシート束に前記突き出し部材が突き当たるように前記シート束支持部材を移動させることを特徴とする画像形成装置。
【請求項１５】
シート束を所定の折り曲げ位置で折り曲げる折りローラ対と、シート積載部に積載されたシート束に突き当たり、前記シート束を折り曲げながら前記折りローラ対のニップに押し込む突き出し手段と、を備えた突き折り部と、前記シート積載部に立てた状態で積載されたシート束の下端と当接してシート束を支持すると共に、前記シート積載部に沿った方向に移動可能なシート束支持部材と、を備え、前記シート積載部に積載されたシート束を前記所定の折り曲げ位置で折り曲げる処理を行うシート処理装置が接続される画像形成装置において、
シート束に前記突き出し手段が突き当たる位置を変更するために前記シート束支持部材の移動を制御する制御手段を有し、
前記制御手段は、前記シート積載部に積載されたシート束の表面の平滑性に応じて、前記突き出し手段がシート束に突き当たる位置と前記折りローラ対によって折り曲げられる所定の折り曲げ位置とのずれ量分、前記所定の折り曲げ位置からずれてシート束に前記突き出し手段が突き当たるように前記シート束支持部材を移動させることを特徴とする画像形成装置。
【手続補正２】
【補正対象書類名】明細書
【補正対象項目名】００１８
【補正方法】変更
【補正の内容】
【００１８】
本発明は、シート積載部に立てた状態で積載されたシート束を所定の折り曲げ位置で折り曲げる処理を行うシート処理装置において、前記シート束を前記所定の折り曲げ位置で折り曲げる折りローラ対と、前記シート積載部に積載されたシート束に突き当たり、前記シート束を折り曲げながら前記折りローラ対のニップに押し込む突き出し手段と、を備えた突き折り部と、前記シート積載部に積載されたシート束の下端と当接してシート束を支持すると共に、前記シート積載部に沿った方向に移動可能なシート束支持部材と、を備え、前記シート積載部に積載されるシート束の情報に基づいた、前記突き出し手段がシート束に突き当たる位置と前記折りローラ対によって折り曲げられる所定の折り曲げ位置とのずれ量分、前記所定の折り曲げ位置からずれてシート束に前記突き出し手段が突き当たるように前記シート束支持部材が移動することを特徴とするものである。